(57)【要約】【課題】線条部材の吊り下げ作業を容易に行うことができ、かつ、線条部材が外れ落ちることを抑制することができる吊り金具を提供する。【解決手段】曲げられた１本の金属製線材１Ａにより形成された吊り金具１は、係止対象物に引っ掛けられるために鉤状に形成された鉤状部１０と、線条部材を吊り下げるために環状に形成された環状部２０と、鉤状部１０と環状部２０とを接続する接続部３０と、接続部３０に対して間隔をあけて設けられた対向部４０と、鉤状部１０とともに閉空間Ｓ１を形成する閉空間形成部５０とを備えている。接続部３０と対向部４０とを互いに近づける外力が金属製線材１Ａに対して作用するときに閉空間Ｓ１が開くように金属製線材１Ａが弾性変形し、環状部２０は、金属製線材１Ａが１周以上巻かれて形成されており、環状部２０の下端には、金属製線材１Ａが交差する交差部２１が設けられている。【選択図】図１
2015169255.tif 000002
【特許請求の範囲】
【請求項１】
係止対象物に引っ掛けることが可能で、かつ、線条部材を吊り下げることが可能な、曲げられた１本の金属製線材により形成された吊り金具であって、
前記係止対象物に引っ掛けられるために鉤状に形成された鉤状部と、前記線条部材を吊り下げるために環状に形成された環状部と、前記鉤状部と前記環状部とを接続する接続部と、前記接続部に対して間隔をあけて設けられた対向部と、前記鉤状部とともに閉空間を形成する閉空間形成部とを備え、
前記接続部と前記対向部とを互いに近づける外力が当該接続部および当該対向部の少なくとも一方に対して作用するときに、前記金属製線材が弾性変形して、前記閉空間に前記係止対象物を通すことが可能な開口部が生じ、
前記環状部は、前記金属製線材が１周以上巻かれて形成されており、当該環状部の下端には、当該金属製線材が交差する交差部が設けられている
ことを特徴とする吊り金具。
【請求項２】
前記鉤状部および前記環状部および前記接続部および前記対向部および前記閉空間形成部は、前記金属製線材の一端から、前記鉤状部、前記接続部、前記環状部、前記対向部、前記閉空間形成部の順に繋がっている
ことを特徴とする請求項１に記載の吊り金具。
【請求項３】
前記閉空間形成部は、前記鉤状部の両側方のうちの一方である第１側方に配置された第１移動規制部と、前記鉤状部の両側方のうちの他方である第２側方に配置された第２移動規制部とを有する
ことを特徴とする請求項１または２に記載の吊り金具。
【請求項４】
前記閉空間が閉じている状態において、前記鉤状部の側方から見て、前記鉤状部の先端を構成する前記金属製線材の一端が、前記接続部と前記対向部との間に位置する
ことを特徴とする請求項１〜３のいずれか一項に記載の吊り金具。
【請求項５】
前記閉空間が閉じている状態において、前記鉤状部の側方から見て、前記金属製線材の両端が、当該金属製線材の外形から突出していない
ことを特徴とする請求項１〜４のいずれか一項に記載の吊り金具。
【発明の詳細な説明】
【技術分野】
【０００１】
本発明は、曲げられた金属製線材により形成される吊り金具に関するものである。
【背景技術】
【０００２】
係止対象物に引っ掛けることが可能で、かつ、線条部材を吊り下げることが可能な吊り金具として、特許文献１には、誘引線に引っ掛けられるとともに誘引紐を吊り下げる誘引紐吊り具が記載されている。以下、図６〜図８を参照して、特許文献１に記載される吊り金具を説明する。
【０００３】
図６に示すように、１本の金属製線材１０１Ａにより形成された吊り金具１０１は、係止対象物に引っ掛けられるために鉤状に形成された鉤状部１１０と、線条部材を吊り下げるために環状に形成された環状部１２０と、鉤状部１１０と環状部１２０とを接続する接続部１３０と、鉤状部１１０とともに閉空間Ｓ１０１を形成する閉空間形成部１４０とを備えている。金属製線材１０１Ａの一端は、鉤状部１１０に連なる閉空間形成部１４０により構成されており、金属製線材１０１Ａの他端は、環状部１２０により構成されている。環状部１２０は、金属製線材１０１Ａが１周半以上巻かれることによって、螺旋として形成されている。
【０００４】
次に、図７を参照して、吊り金具１０１を係止対象物である紐Ｒ１０１に引っ掛ける方法の一例について説明する。図７（Ａ）に示すように、吊り金具１０１を紐Ｒ１０１に引っ掛ける際には、金属製線材１０１Ａと紐Ｒ１０１とを接触させ、矢印Ｍ１１１の方向に閉空間形成部１４０が動くように、金属製線材１０１Ａに対して外力を付与する。閉空間Ｓ１０１が開いたとき、接続部１３０と閉空間形成部１４０との隙間から紐Ｒ１０１を通して、紐Ｒ１０１に鉤状部１１０を引っ掛ける。紐Ｒ１０１に鉤状部１１０を引っ掛けた後、図７（Ｂ）に示すように、閉空間形成部１４０を動かす外力が付与されなくなると、金属製線材１０１Ａの弾性によって、矢印Ｍ１１２の方向に閉空間形成部１４０が動いて、紐Ｒ１０１を含む閉空間Ｓ１０１が形成される。
【０００５】
次に、図８を参照して、吊り金具１０１に線条部材である紐Ｒ１０２を吊り下げる方法の一例について説明する。図８（Ａ）に示すように、吊り金具１０１に紐Ｒ１０２を吊り下げる際には、環状部１２０と接続部１３０との境界付近において金属製線材１０１Ａに紐Ｒ１０２を巻きつけ、矢印Ｍ１２１の方向に紐Ｒ１０２を引っ張ることによって、環状部１２０において金属製線材１０１Ａで紐Ｒ１０２を挟む。次いで、図８（Ｂ）に示すように、紐Ｒ１０２を矢印Ｍ１２２の方向に巻くことによって、環状部１２０と接続部１３０との境界付近において金属製線材１０１Ａに紐Ｒ１０２をさらに巻きつける。そして、紐Ｒ１０２を引っ張ることによって、紐Ｒ１０２の結び目（図示略）を環状部１２０に形成する。
【先行技術文献】
【特許文献】
【０００６】
【特許文献１】登録実用新案第３１１６８７５号公報
【発明の概要】
【発明が解決しようとする課題】
【０００７】
ところで、紐Ｒ１０２の結び目を環状部１２０に形成することによって吊り金具１０１に紐Ｒ１０２を吊り下げる場合には、金属製線材１０１Ａに紐Ｒ１０２を巻きつける必要が生じるため、紐Ｒ１０２の吊り下げ作業が煩雑であるという問題がある。また、金属製線材１０１Ａに紐Ｒ１０２を巻きつけずに、環状部１２０において金属製線材１０１Ａで紐Ｒ１０２を挟むことによって、環状部１２０に紐Ｒ１０２を吊り下げる場合には、金属製線材１０１Ａが紐Ｒ１０２を挟む力が小さければ、環状部１２０から紐Ｒ１０２が外れ落ちるという問題がある。金属製線材１０１Ａが紐Ｒ１０２を挟む力が大きければ、環状部１２０から紐Ｒ１０２が外れ落ちることは抑制されるものの、金属製線材１０１Ａに紐Ｒ１０２を挟むことが容易ではないため、紐Ｒ１０２の吊り下げ作業が煩雑である。
【０００８】
本発明は、上記事情に鑑みてなされたものであって、線条部材の吊り下げ作業を容易に行うことができ、かつ、線条部材が外れ落ちることを抑制することができる吊り金具を提供することを課題とする。
【課題を解決するための手段】
【０００９】
上記課題を解決するため、請求項１に記載の吊り金具は、係止対象物に引っ掛けることが可能で、かつ、線条部材を吊り下げることが可能な、曲げられた１本の金属製線材により形成された吊り金具であって、前記係止対象物に引っ掛けられるために鉤状に形成された鉤状部と、前記線条部材を吊り下げるために環状に形成された環状部と、前記鉤状部と前記環状部とを接続する接続部と、前記接続部に対して間隔をあけて設けられた対向部と、前記鉤状部とともに閉空間を形成する閉空間形成部とを備え、前記接続部と前記対向部とを互いに近づける外力が当該接続部および当該対向部の少なくとも一方に対して作用するときに、前記金属製線材が弾性変形して、前記閉空間に前記係止対象物を通すことが可能な開口部が生じ、前記環状部は、前記金属製線材が１周以上巻かれて形成されており、当該環状部の下端には、当該金属製線材が交差する交差部が設けられていることを特徴とする。
【００１０】
請求項２に記載の吊り金具は、請求項１に記載の吊り金具において、前記鉤状部および前記環状部および前記接続部および前記対向部および前記閉空間形成部は、前記金属製線材の一端から、前記鉤状部、前記接続部、前記環状部、前記対向部、前記閉空間形成部の順に繋がっていることを特徴とする。
【００１１】
請求項３に記載の吊り金具は、請求項１または２に記載の吊り金具において、前記閉空間形成部は、前記鉤状部の両側方のうちの一方である第１側方に配置された第１移動規制部と、前記鉤状部の両側方のうちの他方である第２側方に配置された第２移動規制部とを有することを特徴とする。
【００１２】
請求項４に記載の吊り金具は、請求項１〜３のいずれか一項に記載の吊り金具において、前記閉空間が閉じている状態において、前記鉤状部の側方から見て、前記鉤状部の先端を構成する前記金属製線材の一端が、前記接続部と前記対向部との間に位置することを特徴とする。
【００１３】
請求項５に記載の吊り金具は、請求項１〜４のいずれか一項に記載の吊り金具において、前記閉空間が閉じている状態において、前記鉤状部の側方から見て、前記金属製線材の両端が、当該金属製線材の外形から突出していないことを特徴とする。
【発明の効果】
【００１４】
本発明によれば、線条部材の吊り下げ作業を容易に行うことができ、かつ、線条部材が外れ落ちることを抑制することができる吊り金具を提供することができる。
【図面の簡単な説明】
【００１５】
【図１】本発明の一実施形態に係る吊り金具を示す図であって、（Ａ）は側面図、（Ｂ）は正面図、（Ｃ）は上面図、（Ｄ）は下面図である。
【図２】（Ａ）および（Ｂ）は、本発明の吊り金具を係止対象物に引っ掛ける作業工程を示す説明図である。
【図３】（Ａ）および（Ｂ−１）は、本発明の吊り金具に線条部材を吊り下げる作業工程を示す説明図であり、（Ｂ−２）は、（Ｂ−１）のＤ−Ｄ線断面図である。
【図４】（Ａ−１）および（Ｂ−１）は、本発明の吊り金具の移動が規制される状態を示す説明図であり、（Ａ−２）は、（Ａ−１）の一部分の拡大断面図であり、（Ｂ−２）は、（Ｂ−１）の一部分の拡大断面図である。
【図５】本発明の変形例に係る吊り金具を示す図であって、（Ａ）は側面図、（Ｂ）は正面図、（Ｃ）は上面図、（Ｄ）は下面図である。
【図６】従来の吊り金具を示す図であって、（Ａ）は側面図、（Ｂ）は正面図、（Ｃ）は上面図、（Ｄ）は下面図である。
【図７】（Ａ）および（Ｂ）は、従来の吊り金具を係止対象物に引っ掛ける作業工程を示す説明図である。
【図８】（Ａ）および（Ｂ）は、従来の吊り金具に線条部材を吊り下げる作業工程を示す説明図である。
【発明を実施するための形態】
【００１６】
図１〜図４を参照して、本発明の一例である吊り金具１を説明する。なお、図中の矢印Ｘで示すＸ方向と、図中の矢印Ｙで示すＹ方向と、図中の矢印Ｚで示すＺ方向とは、互いに直交する方向である。また、吊り金具１の使用時は、Ｚ方向が上下方向となる。
【００１７】
図１に示すように、吊り金具１は、曲げられた１本の金属製線材１Ａにより形成されている。金属製線材１Ａとしては、ばね用のステンレス鋼等の金属材料からなり、断面形状が円形である直径１．５ｍｍの丸線を用いることができる。吊り金具１は、例えば、Ｘ方向に約２．５ｃｍの寸法、Ｙ方向に約０．７ｃｍの寸法、およびＺ方向に約４ｃｍの寸法を有する。
【００１８】
吊り金具１は、鉤状部１０、環状部２０、接続部３０、対向部４０、閉空間形成部５０、および延長部６０を備えている。金属製線材１Ａは、当該金属製線材１Ａを構成する各部１０〜６０が、鉤状部１０、接続部３０、環状部２０、対向部４０、閉空間形成部５０、延長部６０の順で繋がるように曲がっている。したがって、金属製線材１Ａの一端は、鉤状部１０の先端により構成され、金属製線材１Ａの他端は、延長部６０の先端により構成されている。金属製線材１Ａの両端は、鉤状部１０の側方から見て、金属製線材１Ａの外形から突出していない（図１（Ａ）参照）。吊り金具１の使用時は、鉤状部１０が吊り金具１の上端部を構成し、環状部２０が吊り金具１の下端部を構成する。
【００１９】
鉤状部１０は、係止対象物に引っ掛けられるために鉤状に形成されている。具体的には、鉤状部１０は、鋭角が形成されるように曲げられた屈曲形状を有しており、Ｙ方向に垂直な仮想平面（図示略）において、吊り金具１の上端で約１３５°曲がり、先端が下方を向くように形成されている。鉤状部１０は、係止対象物を通す閉空間Ｓ１を閉空間形成部５０とともに形成しており、鉤状部１０の先端は、閉空間Ｓ１の隣に設けられた他の閉空間Ｓ２に配置されている。鉤状部１０の一端部は、接続部３０の上端部に連なる。
【００２０】
環状部２０は、線条部材を吊り下げるために環状に形成されている。具体的には、環状部２０は、当該環状部２０の下端に金属製線材１Ａが交差する交差部２１が設けられるように、Ｙ方向に平行な仮想軸（図示略）の周りに金属製線材１Ａが約１周半巻かれて形成されている。環状部２０は、Ｚ方向に対して斜めに設けられており、環状部２０の上端は、接続部３０および対向部４０に密着していない。すなわち、環状部２０の上端と、接続部３０および対向部４０との間には、上方に開口する開空間Ｓ３が形成されており、開空間Ｓ３の下方に交差部２１が設けられている。
【００２１】
接続部３０は、Ｚ方向に延びるように直線状に形成されている。接続部３０は、鉤状部１０と環状部２０とを接続する。すなわち、接続部３０の上端部は、鉤状部１０に連なり、接続部３０の下端部は、環状部２０に連なる。
【００２２】
対向部４０は、接続部３０に対向しながらＺ方向に延びるように直線状に形成されている。対向部４０は、Ｘ方向において接続部３０に対して間隔をあけて設けられており、閉空間形成部５０と環状部２０とを接続する。すなわち、対向部４０の上端部は、閉空間形成部５０に連なり、対向部４０の下端部は、環状部２０に連なる。
【００２３】
閉空間形成部５０は、鉤状部１０の側方で当該鉤状部１０と交差するために、Ｘ方向に延びるように形成されている。閉空間形成部５０は、鉤状部１０とともに閉空間Ｓ１を形成するとともに、接続部３０および対向部４０とともに他の閉空間Ｓ２を形成する。閉空間形成部５０は、対向部４０の上端部に連なる第１移動規制部５１と、延長部６０の上端部に連なる第２移動規制部５２とを有する。第１移動規制部５１は、Ｙ方向における鉤状部１０の両側方のうちの一方である第１側方に配置され、第２移動規制部５２は、鉤状部１０の両側方のうちの他方である第２側方に配置されている。すなわち、鉤状部１０の上方から見て、鉤状部１０は、第１移動規制部５１と第２移動規制部５２の間に位置する。第１移動規制部５１は、Ｙ方向に垂直な仮想平面（図示略）において、対向部４０の上端部から約９５°曲がっている。第１移動規制部５１と第２移動規制部５２との接続部分は、Ｚ方向に垂直な仮想平面（図示略）において金属製線材１Ａが１８０°曲げられて形成されており、鉤状部１０の側方から見て、第１移動規制部５１と第２移動規制部５２とは重なっている。
【００２４】
延長部６０は、鉤状部１０の側方から見て対向部４０と重なるように直線状に形成されている。すなわち、延長部６０は、Ｙ方向に垂直な仮想平面（図示略）において、先端が下方を向くように閉空間形成部５０の第２移動規制部５２から約９５°曲がっており、Ｚ方向に延びるように形成されている。
【００２５】
次に、図２を参照して、吊り金具１を係止対象物である紐Ｒ１に引っ掛ける方法の一例について説明する。
図２（Ａ）に示すように、吊り金具１を紐Ｒ１に引っ掛ける際には、一方の片手（図示略）で吊り金具１を握り、矢印Ｍ１１で示すように接続部３０と対向部４０とを互いに近づける外力を接続部３０および対向部４０に対して付与することによって、閉空間Ｓ１（図１参照）が下方に開くように金属製線材１Ａを弾性変形させる。金属製線材１Ａが変形することによって、閉空間Ｓ１に紐Ｒ１を通すことが可能な開口部Ｓ４が生じる。次いで、他方の片手（図示略）で、矢印Ｍ１２で示すように、紐Ｒ１を開口部Ｓ４に通して、紐Ｒ１に鉤状部１０を引っ掛ける。そして、図２（Ｂ）に示すように、接続部３０と対向部４０とを互いに近づける外力が金属製線材１Ａに付与されなくなると、金属製線材１Ａの弾性によって、矢印Ｍ１３で示すように接続部３０および対向部４０が動いて、紐Ｒ１を含む閉空間Ｓ１が形成される。
【００２６】
次に、図３を参照して、吊り金具１に線条部材である紐Ｒ２を吊り下げる方法の一例について説明する。
図３（Ａ）に示すように、吊り金具１に紐Ｒ２を吊り下げる際には、矢印Ｍ２１で示すように紐Ｒ２を上方から開空間Ｓ３に通す。そして、図３（Ｂ−１）および図３（Ｂ−２）に示すように、紐Ｒ２を下方に垂れ下げることによって、交差部２１に紐Ｒ２を食い込ませ、環状部２０に紐Ｒ２を吊り下げる。
【００２７】
次に、図４を参照して、第１移動規制部５１および第２移動規制部５２の作用について説明する。図４（Ａ−１）および図４（Ａ−２）は、紐Ｒ１に引っ掛けられた吊り金具１の下端を、第１側方（図１参照）に引っ張った状態を示しており、図４（Ｂ−１）および図４（Ｂ−２）は、紐Ｒ１に引っ掛けられた吊り金具１の下端を、第２側方（図１参照）に引っ張った状態を示している。
図４（Ａ−１）および図４（Ａ−２）に示すように、紐Ｒ１に引っ掛けられた吊り金具１の下端を、鉤状部１０の第１側方に向けて引っ張ると、鉤状部１０と紐Ｒ１との接触圧が大きくなり、かつ、第１移動規制部５１と紐Ｒ１との接触圧が大きくなる。また、図４（Ｂ−１）および図４（Ｂ−２）に示すように、紐Ｒ１に引っ掛けられた吊り金具１の下端を、鉤状部１０の第２側方に向けて引っ張ると、鉤状部１０と紐Ｒ１との接触圧が大きくなり、かつ、第２移動規制部５２と紐Ｒ１との接触圧が大きくなる。すなわち、吊り金具１の下端を引っ張って吊り金具１を紐Ｒ１に沿って移動させようとすると、吊り金具１が紐Ｒ１を挟み込む。
【００２８】
本実施形態の吊り金具１においては以下の効果が得られる。
（１）環状部２０は、金属製線材１Ａが１周以上巻かれて形成されており、環状部２０の下端には、金属製線材１Ａが交差する交差部２１が設けられている。このため、環状部２０の交差部２１に線条部材（紐Ｒ２）を掛けることによって、線条部材が交差部２１に食い込み、環状部２０に線条部材を結ぶことなく環状部２０から線条部材が外れ落ちないようにすることが可能である。すなわち、線条部材の吊り下げ作業を容易に行うことができ、かつ、線条部材が外れ落ちることを抑制することができる。
【００２９】
（２）接続部３０と対向部４０とを互いに近づける外力が当該接続部３０および当該対向部４０の少なくとも一方に対して作用するときに、金属製線材１Ａが弾性変形して、閉空間Ｓ１に係止対象物（紐Ｒ１）を通すことが可能な開口部Ｓ４が生じる。このため、接続部３０および対向部４０に対して外力が付与されていない状態において、閉空間Ｓ１に係止対象物が通されているときには、係止対象物から吊り金具１が外れることを防ぐことができる。また、接続部３０と対向部４０とを互いに近づける外力が付与されることによって、係止対象物から吊り金具１を取り外すことが可能となる。すなわち、吊り金具１の使用者は、接続部３０と対向部４０とを互いに近づける外力を付与する簡単な操作で、係止対象物から吊り金具１を取り外すことができる。
【００３０】
（３）鉤状部１０と係止対象物（紐Ｒ１）との接触圧を高め、かつ、鉤状部１０の第１側方に配置された第１移動規制部５１と係止対象物との接触圧を高めることによって、係止対象物に引っ掛けられた吊り金具１が、当該係止対象物に対して、第１側方に移動することを規制することができる。また、鉤状部１０と係止対象物との接触圧を高め、かつ、鉤状部１０の第２側方に配置された第２移動規制部５２と係止対象物との接触圧を高めることによって、係止対象物に引っ掛けられた吊り金具１が、当該係止対象物に対して、第２側方に移動することを規制することができる。
【００３１】
（４）閉空間Ｓ１が閉じている状態において、鉤状部１０の側方から見て、鉤状部１０の先端を構成する金属製線材１Ａの一端が、接続部３０と対向部４０との間に位置する。このため、閉空間Ｓ１が閉じている状態において、鉤状部１０の側方から見て、鉤状部１０の先端を構成する金属製線材１Ａの一端が対向部４０と重なる構成に比べて、接続部３０と対向部４０とを互いに近づける外力が金属製線材１Ａに対して作用したときに閉空間Ｓ１が直ちに開かない。したがって、接続部３０と対向部４０とを互いに近づける外力が金属製線材１Ａに対して不意に作用したときであっても、係止対象物（紐Ｒ１）から吊り金具１が外れることを抑制することができる。
【００３２】
（５）閉空間Ｓ１が閉じている状態において、鉤状部１０の側方から見て、金属製線材１Ａの両端が、当該金属製線材１Ａの外形から突出していない。このため、鉤状部１０の側方から見て、金属製線材１Ａの両端が当該金属製線材１Ａの外形から突出している構成に比べて、金属製線材１Ａの両端が、他の物体（図示略）に引っ掛かったり、他の物体に突き刺さったりすることを防ぐことができる。
【００３３】
本発明は、上記実施形態に限定されるものではなく、上記実施形態の構成を適宜変更することもできる。例えば、上記構成を以下のように変更して実施することもでき、以下の変更を組み合わせて実施することもできる。
【００３４】
・上記実施形態では、延長部６０は、対向部４０と重なるように直線状に形成されているが、延長部６０の形状を適宜変更してもよい。例えば、図５に示すように、延長部６０が、先端が上方を向くように円弧状に形成されていてもよい。図５の延長部６０は、Ｙ方向に平行な仮想軸（図示略）の周りに金属製線材１Ａが約半周巻かれて形成されており、延長部６０の先端は、閉空間Ｓ２に配置されている。
【００３５】
・閉空間Ｓ１を形成することができるのであれば、鉤状部１０および閉空間形成部５０の形状を適宜変更してもよい。例えば、上記実施形態における鉤状部１０は、鋭角が形成される屈曲形状に形成されているが、円弧状に形成されていてもよい。すなわち、本発明において「鉤状」の形状は、上記実施形態に限定されない。
【００３６】
・上記実施形態に記載される閉空間Ｓ１から係止対象物が抜けないのであれば、鉤状部１０の側方から見て、閉空間Ｓ１が僅かに開口していてもよい。すなわち、本発明における「閉空間」は、隣り合う他の空間に対して完全に仕切られた空間であることを意味しない。
【００３７】
・上記実施形態では、金属製線材１Ａが約１周半巻かれて環状部２０が形成されているが、交差部２１を形成することができるのであれば、環状部２０における金属製線材１Ａの巻き数は適宜変更してもよい。すなわち、環状部２０は、金属製線材１Ａが１周以上巻かれて形成されていればよい。
【００３８】
・上記実施形態に記載された作用効果を得ることができるのであれば、例えば、鉄またはアルミニウム等の金属材料からなる金属製線材１Ａにより吊り金具１を形成してもよく、また、金属製線材１Ａは、断面形状が非円形である角線であってもよい。すなわち、金属製線材１Ａの材質、線径、断面形状等は適宜変更してもよい。
【００３９】
・上記実施形態では、吊り金具１は、片手に収まる程度の寸法を有しているが、上記実施形態に記載された作用効果を得ることができるのであれば、係止対象物および線条部材に応じて、吊り金具１の寸法を適宜変更してもよい。
【００４０】
・上記実施形態では、係止対象物は紐Ｒ１であるが、吊り金具１を引っ掛けることができるのであれば、係止対象物を適宜変更してもよい。例えば、係止対象物は、金属からなるワイヤーであってもよい。また、上記実施形態では、線条部材は紐Ｒ２であるが、吊り金具１に吊り下げることができるのであれば、線条部材を適宜変更してもよい。例えば、線条部材は、糸であってもよい。
【符号の説明】
【００４１】
１  吊り金具
１Ａ  金属製線材
１０  鉤状部
２０  環状部
２１  交差部
３０  接続部
４０  対向部
５０  閉空間形成部
５１  第１移動規制部
５２  第２移動規制部
６０  延長部
Ｒ１  紐（係止対象物）
Ｒ２  紐（線条部材）
Ｓ１  閉空間
Ｓ２  閉空間
Ｓ３  開空間
Ｓ４  開口部
【図１】
2015169255.tif 000003
【図２】
2015169255.tif 000004
【図３】
2015169255.tif 000005
【図４】
2015169255.tif 000006
【図５】
2015169255.tif 000007
【図６】
2015169255.tif 000008
【図７】
2015169255.tif 000009
【図８】
2015169255.tif 000010